(57)【要約】【課題】映像視聴時の操作内容などの視聴履歴を考慮することにより、視聴者の趣味や嗜好を的確に反映した映像を選択して配信する映像配信方法を提供する。【解決手段】視聴者端末１からの視聴履歴を視聴履歴データベース３７に登録し、視聴者端末１から視聴要求を受信すると、この要求に応じて視聴者端末１の視聴履歴を視聴履歴データベース３７から検索し、この視聴履歴に基づきメタデータデータベース３９に登録されている映像情報から視聴者にリコメンドする好適な映像情報を特定する再生コマンドを生成し、この再生コマンドを再生コマンド生成送信手段４５から視聴者端末１に返信する。視聴者端末１は再生コマンドを受信すると、再生コマンドに従って映像配信事業者から映像を取得し、この映像を視聴した場合における操作内容を視聴履歴として送信する。【選択図】        図１
2005110016.tif 000002
【特許請求の範囲】
【請求項１】
視聴者端末からの視聴要求に応じて視聴者端末に配信する映像をリコメンドする配信映像リコメンド方法であって、
映像を意味データで表した映像情報をメタデータデータベースに登録し、
視聴者端末からの視聴履歴を受信し、この視聴履歴を視聴者端末毎に視聴履歴データベースに登録し、
視聴者端末からの視聴要求を受信した場合、この視聴要求に応じて当該視聴者端末に該当する視聴履歴を視聴履歴データベースから検索し、
この検索した視聴履歴に基づきメタデータデータベースに登録されている映像情報から視聴者にリコメンドする好適な映像情報を特定する再生コマンドを生成し、
この生成した再生コマンドを視聴者端末に返信する
ことを特徴とする配信映像リコメンド方法。
【請求項２】
視聴者端末からの視聴要求に応じて視聴者端末に配信する映像をリコメンドする配信映像リコメンド方法であって、
前記視聴者端末は、
視聴要求を送信し、この視聴要求の送信に対して返信されてくる、視聴者に好適な映像情報を特定する再生コマンドを受信し、
この再生コマンドに従って映像配信事業者から映像を取得し、
この取得した映像を視聴した場合における操作内容を視聴履歴として送信する
ことを特徴とする配信映像リコメンド方法。
【請求項３】
前記視聴履歴データベースへの登録処理は、
視聴者端末から視聴履歴として受信した操作情報に基づき操作内容ポイントを算出する算出手段、この算出した操作内容ポイントを視聴履歴データベースに登録するポイント登録手段、メタデータデータベースに登録されている映像情報毎に視聴者に対して視聴のために抽出したか否かについての抽出フラグを視聴履歴データベースに登録する抽出フラグ登録手段、およびメタデータデータベースに登録されている映像情報毎に視聴者が視聴したか否かについての視聴フラグを視聴履歴データベースに登録する視聴フラグ登録手段を有し、
前記再生コマンド生成処理は、
前記操作内容ポイント、抽出フラグおよび視聴フラグを視聴履歴データベースから検索し、前記視聴履歴に加えて操作内容ポイント、抽出フラグおよび視聴フラグに基づきメタデータデータベースに登録されている映像情報から視聴者に好適な映像情報を特定する再生コマンドを生成する手段を有する
ことを特徴とする請求項１記載の配信映像リコメンド方法。
【請求項４】
視聴者端末からの視聴要求に応じて視聴者端末に配信する映像をリコメンドする配信映像リコメンド装置であって、
映像を意味データで表した映像情報を登録するメタデータデータベースと、
視聴者端末からの視聴履歴を受信し、この視聴履歴を視聴者端末毎に登録する視聴履歴データベースと、
視聴者端末からの視聴要求を受信した場合、この視聴要求に応じて当該視聴者端末に該当する視聴履歴を視聴履歴データベースから検索する検索手段と、
この検索した視聴履歴に基づきメタデータデータベースに登録されている映像情報から視聴者にリコメンドする好適な映像情報を特定する再生コマンドを生成する再生コマンド生成手段と、
この生成した再生コマンドを視聴者端末に返信する再生コマンド返信手段と
を有することを特徴とする配信映像リコメンド装置。
【請求項５】
視聴者端末からの視聴要求に応じて視聴者端末に配信する映像をリコメンドする配信映像リコメンド装置であって、
前記視聴者端末は、
視聴要求を送信し、この視聴要求の送信に対して返信されてくる、視聴者に好適な映像情報を特定する再生コマンドを受信する再生コマンド受信手段と、
この再生コマンドに従って映像配信事業者から映像を取得する映像取得手段と、
この取得した映像を視聴した場合における操作内容を視聴履歴として送信する視聴履歴送信手段と
を有することを特徴とする配信映像リコメンド装置。
【請求項６】
前記視聴履歴は、視聴者端末において視聴した映像に対して行った再生、停止、早送り、巻戻し、一時停止を含む操作情報であることを特徴とする請求項４または５記載の配信映像リコメンド装置。
【請求項７】
前記視聴履歴データベースは、視聴者端末から視聴履歴として受信した操作情報に基づき算出する操作内容ポイント、メタデータデータベースに登録されている映像情報毎に視聴者に対して視聴のために抽出したか否かについての抽出フラグ、およびメタデータデータベースに登録されている映像情報毎に視聴者が視聴したか否かについての視聴フラグを登録する手段を有し、
前記再生コマンド生成手段は、前記操作内容ポイント、抽出フラグおよび視聴フラグを視聴履歴データベースから検索し、前記視聴履歴に加えて操作内容ポイント、抽出フラグおよび視聴フラグに基づきメタデータデータベースに登録されている映像情報から視聴者に好適な映像情報を特定する再生コマンドを生成する手段を有する
ことを特徴とする請求項４記載の配信映像リコメンド装置。
【請求項８】
請求項１乃至３のいずれか１項に記載の配信映像リコメンド方法をコンピュータに実行させることを特徴とするコンピュータ実行可能な配信映像リコメンドプログラム。
【発明の詳細な説明】
【技術分野】
【０００１】
本発明は、視聴者端末からの視聴要求に応じて視聴者端末に配信する映像をリコメンドする配信映像リコメンド方法、装置およびプログラムに関する。
【背景技術】
【０００２】
近年、インターネットの広帯域化に伴い、映像配信事業者の提供する映像を視聴者端末で再生して視聴し得るように配信するコンテンツ配信サービスが増加している。これにより、視聴者は様々の映像を視聴できるようになったが、視聴者が膨大な映像の中から目的の映像を探すためには、検索のためのキー入力や、マウス操作等を必要とする場合が多く、自分の視聴したい映像を探し出すまでには、多くの煩雑な操作が必要である。
【０００３】
このような場合、例えば、膨大な映像の中から視聴者に好適な映像を自動的に抽出し配信することで、視聴者の検索や選択の手間を省くことが望ましい。視聴者に好適な映像を絞り込む従来技術として、過去にユーザに提示したコンテンツの選択の有無を履歴として蓄積し、視聴者の趣味・嗜好に適合したコンテンツを抽出して提示する方法が提案されている（例えば、特許文献１参照）。
【特許文献１】特開２００１−２６５８１０号公報
【発明の開示】
【発明が解決しようとする課題】
【０００４】
上述した従来の方法では、コンテンツの選択の有無だけに着目していて、映像の視聴時間を考慮していないため、この従来の方法をお勧めの映像を提示するようなサービスに適用した場合には、例えば映像を間違えて選択してしまったために、直ぐに視聴を中止した映像であっても、また選択した映像に興味があり、長く視聴した映像であっても、両方とも「映像を１回選択した」ものとして同様に扱ってしまうため、利用者の趣味や嗜好を正確に反映できないという問題がある。
【０００５】
本発明は、上記に鑑みてなされたもので、その目的とするところは、映像視聴時の操作内容などの視聴履歴を考慮することにより、視聴者の趣味や嗜好を的確に反映した映像を選択して配信する配信映像リコメンド方法、装置およびプログラムを提供することにある。
【課題を解決するための手段】
【０００６】
請求項１記載の本発明の配信映像リコメンド方法は、視聴者端末からの視聴要求に応じて視聴者端末に配信する映像をリコメンドする配信映像リコメンド方法であって、映像を意味データで表した映像情報をメタデータデータベースに登録し、視聴者端末からの視聴履歴を受信し、この視聴履歴を視聴者端末毎に視聴履歴データベースに登録し、視聴者端末からの視聴要求を受信した場合、この視聴要求に応じて当該視聴者端末に該当する視聴履歴を視聴履歴データベースから検索し、この検索した視聴履歴に基づきメタデータデータベースに登録されている映像情報から視聴者にリコメンドする好適な映像情報を特定する再生コマンドを生成し、この生成した再生コマンドを視聴者端末に返信することを要旨とする。
【０００７】
請求項２記載の本発明の配信映像リコメンド方法は、視聴者端末からの視聴要求に応じて視聴者端末に配信する映像をリコメンドする配信映像リコメンド方法であって、前記視聴者端末は、視聴要求を送信し、この視聴要求の送信に対して返信されてくる、視聴者に好適な映像情報を特定する再生コマンドを受信し、この再生コマンドに従って映像配信事業者から映像を取得し、この取得した映像を視聴した場合における操作内容を視聴履歴として送信することを要旨とする。
【０００８】
また、前記視聴履歴は、視聴者端末において視聴した映像に対して行った再生、停止、早送り、巻戻しを含む操作情報であっても良い。
【０００９】
請求項３記載の本発明の配信映像リコメンド方法では、前記視聴履歴データベースへの登録処理は、視聴者端末から視聴履歴として受信した操作情報に基づき操作内容ポイントを算出する算出手段、この算出した操作内容ポイントを視聴履歴データベースに登録するポイント登録手段、メタデータデータベースに登録されている映像情報毎に視聴者に対して視聴のために抽出したか否かについての抽出フラグを視聴履歴データベースに登録する抽出フラグ登録手段、およびメタデータデータベースに登録されている映像情報毎に視聴者が視聴したか否かについての視聴フラグを視聴履歴データベースに登録する視聴フラグ登録手段を有し、前記再生コマンド生成処理は、前記操作内容ポイント、抽出フラグおよび視聴フラグを視聴履歴データベースから検索し、前記視聴履歴に加えて操作内容ポイント、抽出フラグおよび視聴フラグに基づきメタデータデータベースに登録されている映像情報から視聴者に好適な映像情報を特定する再生コマンドを生成する手段を有することを要旨とする。
【００１０】
請求項４記載の本発明の配信映像リコメンド装置は、視聴者端末からの視聴要求に応じて視聴者端末に配信する映像をリコメンドする配信映像リコメンド装置であって、映像を意味データで表した映像情報を登録するメタデータデータベースと、視聴者端末からの視聴履歴を受信し、この視聴履歴を視聴者端末毎に登録する視聴履歴データベースと、視聴者端末からの視聴要求を受信した場合、この視聴要求に応じて当該視聴者端末に該当する視聴履歴を視聴履歴データベースから検索する検索手段と、この検索した視聴履歴に基づきメタデータデータベースに登録されている映像情報から視聴者にリコメンドする好適な映像情報を特定する再生コマンドを生成する再生コマンド生成手段と、この生成した再生コマンドを視聴者端末に返信する再生コマンド返信手段とを有することを要旨とする。
【００１１】
請求項５記載の本発明の配信映像リコメンド装置は、視聴者端末からの視聴要求に応じて視聴者端末に配信する映像をリコメンドする配信映像リコメンド装置であって、前記視聴者端末は、視聴要求を送信し、この視聴要求の送信に対して返信されてくる、視聴者に好適な映像情報を特定する再生コマンドを受信する再生コマンド受信手段と、この再生コマンドに従って映像配信事業者から映像を取得する映像取得手段と、この取得した映像を視聴した場合における操作内容を視聴履歴として送信する視聴履歴送信手段とを有することを要旨とする。
【００１２】
請求項６記載の本発明の配信映像リコメンド装置では、前記視聴履歴は、視聴者端末において視聴した映像に対して行った再生、停止、一時停止、早送り、巻戻しを含む操作情報であることを要旨とする。
【００１３】
請求項７記載の本発明の配信映像リコメンド装置では、前記視聴履歴データベースは、視聴者端末から視聴履歴として受信した操作情報に基づき算出する操作内容ポイント、メタデータデータベースに登録されている映像情報毎に視聴者に対して視聴のために抽出したか否かについての抽出フラグ、およびメタデータデータベースに登録されている映像情報毎に視聴者が視聴したか否かについての視聴フラグを登録する手段を有し、前記再生コマンド生成手段は、前記操作内容ポイント、抽出フラグおよび視聴フラグを視聴履歴データベースから検索し、前記視聴履歴に加えて操作内容ポイント、抽出フラグおよび視聴フラグに基づきメタデータデータベースに登録されている映像情報から視聴者に好適な映像情報を特定する再生コマンドを生成する手段を有することを要旨とする。
【００１４】
請求項８記載の本発明の配信映像リコメンドプログラムは、請求項１乃至３のいずれか１項に記載の配信映像リコメンド方法をコンピュータに実行させることを要旨とする。
【発明の効果】
【００１５】
本発明によれば、視聴者端末からの視聴履歴を視聴履歴データベースに登録し、視聴者端末から視聴要求を受信すると、該視聴者端末の視聴履歴を視聴履歴データベースから検索し、この視聴履歴に基づきメタデータデータベースに登録されている映像情報から視聴者にリコメンドする好適な映像情報を特定する再生コマンドを生成し、この生成した再生コマンドを視聴者端末に返信するので、この再生コマンドに従った映像を映像配信事業者から取得することにより、キー入力や検索などの煩雑な操作を必要とすることなく、視聴者の趣味や嗜好などを的確に反映した映像選択が可能となり、利便性が向上する。
【００１６】
本発明によれば、視聴者端末は視聴要求に対して好適な映像情報を特定する再生コマンドを受け取り、この再生コマンドに従って映像配信事業者から映像を取得するとともに、この映像を視聴した場合の操作内容を視聴履歴として送信するので、キー入力や検索などの煩雑な操作を必要とすることなく、視聴者の趣味や嗜好などを的確に反映した映像選択が可能となり、利便性が向上するとともに、また当該映像を視聴した視聴履歴を送信するため、この映像を視聴した結果も次回に反映される。
【００１７】
本発明によれば、視聴履歴として受信した操作情報に基づき算出される操作内容ポイント、抽出した映像であるかについての抽出フラグおよび視聴した映像であるかについての視聴フラグに基づき視聴者に好適な映像情報を特定する再生コマンドを生成するので、視聴者の趣味や嗜好などを的確に反映した映像選択が可能となり、利便性が向上する
【発明を実施するための最良の形態】
【００１８】
本発明の配信映像リコメンド方法は、映像を意味データで表した映像情報をメタデータデータベースに登録し、視聴者端末からの視聴履歴を視聴者端末毎に視聴履歴データベースに登録し、視聴者端末からの視聴要求を受信すると、この視聴要求に応じて当該視聴者端末に該当する視聴履歴を視聴履歴データベースから検索し、この検索した視聴履歴に基づきメタデータデータベースに登録されている映像情報から視聴者にリコメンドする好適な映像情報を特定する再生コマンドを生成し、この生成した再生コマンドを視聴者端末に返信する。視聴者端末は、この再生コマンドを受信すると、この再生コマンドに従って映像配信事業者から映像を取得し、この取得した映像を視聴した場合における操作内容を視聴履歴として送信する。
【実施例１】
【００１９】
図１は、本発明の実施例１に係わる配信映像リコメンド方法を実施する配信映像リコメンド装置を構成するポータルサーバ３と該ポータルサーバ３からリコメンドされた映像の配信を受ける視聴者端末１の構成を示すブロック図である。
【００２０】
視聴者端末１は、図示しないインターネットなどの通信ネットワークを介してポータルサーバ３に接続されている。なお、この通信ネットワークとして例えばインターネットを使用した場合には、この通信ネットワークはＴＣＰ（Ｔｒａｎｓｐｏｒｔ  Ｃｏｎｔｒｏｌ  Ｐｒｏｔｏｃｏｌ）およびＩＰ（Ｉｎｔｅｒｎｅｔ  Ｐｒｏｔｏｃｏｌ）でサポートされるものとする。
【００２１】
視聴者端末１は、前記通信ネットワークに接続するための通信インタフェース部１０、この通信インタフェース部１０を介してポータルサーバ３から送信されてくる再生コマンドを受け取り、この再生コマンドに従って後述する映像配信事業者から映像を取得すべく映像の配信を受け、この取得した映像を再生して視聴する再生コマンド受信手段と映像取得手段を構成する映像再生手段１５、および該映像を視聴した場合における操作内容を視聴履歴として通信インタフェース部１０からポータルサーバ３に送信する視聴履歴送信手段１７を有する。
【００２２】
また、ポータルサーバ３は、前記通信ネットワークに接続するための通信インタフェース部３０、この通信インタフェース部３０を介して視聴者端末１から視聴履歴を受信して加工する視聴履歴加工手段３５、この受信した視聴履歴を視聴履歴テーブルとして後述する操作内容ポイントテーブル、抽出フラグテーブルおよび視聴フラグテーブルとともに登録管理する視聴履歴データベース（ＤＢ）３７、視聴者端末１に対して映像配信事業者から配信される映像全体を意味データで表した映像情報を映像情報テーブルとして登録管理するとともに、また映像を例えば時間単位や内容単位で分割して生成した映像の特定部分からなる複数のシーンをそれぞれ意味データで表したシーン情報をシーン情報テーブルとして登録管理するメタデータデータベース（ＤＢ）３９、映像配信事業者が提供する映像のメタデータをメタデータデータベース３９で管理するメタデータ管理手段４１、視聴履歴データベース３７に登録された視聴履歴および操作内容ポイントテーブル、抽出フラグテーブルおよび視聴フラグテーブルとして登録された操作内容ポイント、抽出フラグ、視聴フラグなどに基づきメタデータデータベース３９に登録されている映像情報およびシーン情報から視聴者端末１にリコメンドする好適な映像情報またはシーン情報を特定して出力するリコメンド手段４３、およびこのリコメンド手段４３から出力される視聴者に好適な映像情報またはシーン情報の再生コマンドを生成し、通信インタフェース部３０から視聴者端末１に送信する再生コマンド生成送信手段４５から構成されている。リコメンド手段４３および再生コマンド生成送信手段４５は本発明の検索手段、再生コマンド生成手段、再生コマンド返信手段を構成する。
【００２３】
次に、図２を参照して、図１に示すポータルサーバ３および視聴者端末１と映像配信事業者、ポータルサービス事業者、視聴者などの関係を示す全体的なシステムについて説明する。
【００２４】
図２に示すように、ポータルサーバ３は、ポータルサービス事業者２３によって所有されているものであり、このポータルサービス事業者２３は、後述するキーワード検索サービス１１、新着動画サービス１２およびジャンル検索サービス１３とリコメンドダイジェストサービス１４などのサービスを行うものであり、これらのサービスにより視聴者端末１の視聴者２４にリコメンドする好適の映像情報またはシーン情報を特定する再生コマンドを生成して視聴者端末１に送信する。
【００２５】
視聴者は、視聴者端末１で受け取った再生コマンドに従い映像配信事業者２１、２２から映像を取得して視聴する。なお、この場合、映像配信事業者２１、２２は、図示しないインターネットなどのネットワークを介して映像を視聴者端末１に配信する。そして、視聴者端末１は、視聴者がこの映像を視聴した場合における例えば再生、早送り、巻戻し、停止などの操作内容を視聴履歴として視聴履歴送信手段１７から通信インタフェース部１０および図示しない通信ネットワークを介してポータルサービス事業者２３のポータルサーバ３に送信する。
【００２６】
また、映像配信事業者２１、２２は、ポータルサービス事業者２３の所有するポータルサーバ３に対して視聴者に配信する映像のメタデータを登録する。ポータルサーバ３は、視聴者端末１からの視聴履歴とメタデータに基づいて視聴者２４にリコメンドする好適の映像情報またはシーン情報を特定する再生コマンドを生成して送信する。
【００２７】
次に、図３を参照して、本実施例の配信映像リコメンド方法を適用した映像ポータルサービスにおける前記キーワード検索サービス１１、新着動画サービス１２、ジャンル検索サービス１３およびリコメンドダイジェストサービス１４について説明する。
【００２８】
図３において、キーワード検索サービス１１は、視聴者が視聴者端末１から任意のキーワードを入力し、「検索」ボタンを押下すると、該キーワードに合致する映像のリストを表示する。新着動画サービス１２は、新しく登録された映像のリストを表示する。ジャンル検索サービス１３は、映像のジャンル一覧を表示し、視聴者が任意のジャンルを選択すると、該ジャンルに合致する映像のリストを表示する。従って、これらの表示された映像のリストから所望の映像を指定すると、この指定された映像が映像配信事業者２１、２２から視聴者端末１に配信されてくる。
【００２９】
リコメンドダイジェストサービス１４は、視聴者が「見る」ボタンを押下すると、視聴者に好適なシーンをダイジェストで配信する。すなわち、視聴者が「見る」ボタンを押下すると、視聴要求が視聴者端末１から通信インタフェース部１０を介してポータルサーバ３に送信され、ポータルサーバ３において視聴履歴データベース３７に登録されている視聴者の視聴履歴に基づきメタデータデータベース３９に登録されている映像情報およびシーン情報から視聴者にリコメンドする好適な映像情報またはシーン情報を特定する再生コマンドが生成され、通信インタフェース部３０を介して視聴者端末１に返信されてくる。そこで、視聴者は、この再生コマンドに従った映像を映像配信事業者２１、２２から取得して視聴することができる。
【００３０】
詳しくは、視聴者が視聴者端末１においてキーワード検索サービス１１、新着動画サービス１２またはジャンル検索サービス１３を利用して目的の映像を選択した場合には、ポータルサーバ２５はメタデータデータベース３９に登録されているメタデータを参照し、視聴者が選択した映像を再生するための再生コマンドを生成し、視聴者端末１に送信する。視聴者端末１は受信した再生コマンドに従い映像配信事業者２１，２２より映像を取得すると共に、視聴者端末１は映像視聴中の視聴者の操作内容、例えば、再生、静止画再生、停止、一時停止、早送り、コマ送り、巻戻しなどを視聴履歴としてポータルサーバ３に送信する。
【００３１】
また、視聴者がレコメンドダイジェストサービス１４を選択した場合には、ポータルサーバ３はメタデータデータベース３９に登録されたメタデータと視聴履歴データベース３７に登録された視聴履歴を参照し、視聴者に好適なシーンを連続して再生するための再生コマンドを生成し、視聴者端末１に送信する。視聴者端末１は受信した再生コマンドに従い映像配信事業者２１，２２より映像を取得すると共に、視聴者端末１は映像視聴中の視聴者の操作内容、例えば、再生、静止画再生、停止、一時停止、早送り、コマ送り、巻戻しなどを視聴履歴としてポータルサーバ３に送信する。
【００３２】
図４は、リコメンドダイジェストサービス１４で配信するシーンの概念図である。シーンとは、映像を例えば時間単位や内容単位などに基づき区間で区切ることによって得られる意味的にまとまりのある特定部分のことである。
【００３３】
図４において、３１は「ショッピングＡ」というタイトルの映像を時系列で分割して表示した図であり、３２はネックレス紹介シーンであり、０分目から３分目の間に表示するネックレスの商品説明の映像を示している。３３はビデオカメラ紹介シーンであり、３分目から６分目の間に表示するビデオカメラの商品説明の映像を示している。３４はデスクトップパソコン紹介シーンであり、６分目から１０分目の間に表示するデスクトップパソコンの商品説明の映像を示している。
【００３４】
次に、図１に戻って、各部について更に詳しく説明する。視聴履歴データベース３７に登録される操作内容ポイントテーブルは、視聴者毎に視聴者のシーン単位の趣味、嗜好を数値化した操作内容ポイントを格納するものである。また、抽出フラグテーブルは、視聴者毎に過去に視聴者に対して好適なシーンとして抽出したシーンであるか否かを示す抽出フラグを格納するものである。視聴フラグテーブルは、視聴者毎に過去に視聴者が視聴したシーンであるか否かを示す視聴フラグを格納するものである。また、メタデータ管理手段４１は、映像配信事業者が提供する映像のメタデータをメタデータデータベース３９で管理するが、映像配信事業者が複数ある場合でも、映像のメタデータは同じメタデータデータベース３９で一元的に管理できる。
【００３５】
リコメンド手段４３は、視聴者がレコメンドダイジェストサービスを選択した場合、メタデータデータベース３９のシーン情報テーブルと視聴履歴データベース３７の操作内容ポイントテーブル、抽出フラグテーブル、視聴フラグテーブルに格納されたデータを参照して、視聴者に好適なシーンを抽出し、それら抽出されたシーンのシーン情報を再生コマンド生成送信手段４５に送信する。また、リコメンド手段４３は抽出したシーンの抽出フラグをＯＮにする。再生コマンド生成送信手段４５は、視聴者がキーワード検索サービス１１や新着動画サービス１２、ジャンル検索サービス１３を利用して目的の映像を選択した場合、メタデータデータベース３９の映像情報テーブルを参照し、該当する映像情報を基に選択した映像を視聴者端末１で再生するための再生コマンドを生成する。また、再生コマンド生成送信手段４５は、視聴者がレコメンドダイジェストサービス１４を選択した場合、リコメンド手段４３から受信したシーン情報を基にリコメンド手段４３において抽出された視聴者に好適なシーンを視聴者端末１で連続して再生するための再生コマンドを生成する。
【００３６】
視聴者端末１の映像再生手段１５は、再生コマンド生成送信手段４５から受信した再生コマンドを解釈し、必要な映像全体またはシーンを取得し、組み合わせながら視聴者端末１の表示領域に表示する。ここで利用する映像全体またはシーンは、映像配信事業者２１，２２のどちらの配信事業者でも配信することが可能である。また、視聴者端末１で表示する際には、これら複数の配信事業者の映像を組み合わせて表示することも可能である。視聴履歴送信手段１７は、映像再生手段１５において映像全体またはシーンを表示する際の視聴者の操作内容、例えば、再生、停止、早送り、巻戻しなどを視聴履歴として蓄積し、視聴終了後、通信インタフェース部１０からネットワーク、通信インタフェース部３０を介してポータルサーバ３の視聴履歴加工手段３５に送信する。
【００３７】
視聴履歴加工手段３５は、視聴履歴送信手段１７から受信した視聴履歴を視聴履歴データベース３７の視聴履歴テーブルに格納するとともに、またメタデータデータベース３９のシーン情報テーブルと視聴履歴データベース３７の視聴履歴テーブルに格納したデータを参照して、操作内容ポイントを算出し、視聴履歴データベース３７の操作内容ポイントテーブルに格納する。更に、視聴履歴加工手段３５はメタデータデータベース３９のシーン情報テーブルと視聴履歴データベース３７の視聴履歴テーブルに格納したデータを参照して、視聴したシーンの視聴フラグをＯＮにする。
【００３８】
図５は、メタデータ管理手段４１で管理する映像のメタデータの一例を示す図である。同図に示すように、メタデータは、映像に意味データを付与したものであり、映像全体を意味データで表した映像情報５１と、時間単位で抽出した映像の特定部分である複数のシーンを意味データで表したシーン情報５２から構成される。
【００３９】
映像情報５１には、コンテンツＩＤ、タイトル、概要、ジャンル、ＵＲＬ、コンテンツ長の情報が含まれる。コンテンツＩＤとは、映像を一意に特定するための識別子である。タイトルとは、個々の映像に付けられた名称である。概要とは、映像を説明する短い文章である。ジャンルとは、映像を分類するためのグループ名称である。ＵＲＬとは、映像の保存場所を示す文字列である。コンテンツ長とは映像の長さを表す。
【００４０】
また、シーン情報５２には、シーンＩＤ、所属コンテンツＩＤ、タイトル、ジャンル、開始ポイント、継続時間の情報が含まれる。シーンＩＤとは、シーンを一意に特定するための識別子である。所属コンテンツＩＤとは、シーンが所属する映像のコンテンツＩＤを指す。タイトルとは、個々のシーンにつけられた名称である。ジャンルとは、シーンを分類するためのグループ名称である。開始ポイントとは、シーンの開始時間を示し、継続時間は、シーンの長さを表す。
【００４１】
従って、図５に示したメタデータからは、「タイトルが「ショッピングＡ」という１０分間の映像は、３分間のネックレス紹介シーンと、３分間のビデオカメラ紹介シーンと、４分間のデスクトップパソコン紹介シーンの３つのシーンから構成される」などの情報を得ることができる。
【００４２】
図６は、再生コマンド生成送信手段４５で生成される再生コマンドの一例を示す図である。再生コマンドは、ＵＲＬ、開始ポイント、継続時間の情報から構成され、これらの情報を視聴者端末１において再生する順番に記述する。ＵＲＬは、再生する映像の保存場所を示す。開始ポイントは、映像の再生開始時間を示し、継続時間は映像の再生時間長を示す。従って、図中に示した再生コマンドは、「「ｍｍｓ：／／ショッピングＢ」の２分目から５分目の区間を再生し、次に「ｍｍｓ：／／ショッピングＢ」の７分目から１０分目の区間を再生し、次に「ｒｔｓｐ：／／ショッピングＣ」の３分目から５分目の区間を再生し、最後に「ｒｔｓｐ：／／ショッピングＣ」の５分目から８分目の区間を再生する」ということを示す。
【００４３】
次に、図７を参照して、視聴履歴加工手段３５により算出され視聴履歴データベース３７に登録される操作内容ポイントの算出方法について説明する。
【００４４】
操作内容ポイントとは、視聴者のシーン単位の趣味や嗜好を数値化したデータであり、リコメンド手段４３において視聴者に好適な映像を抽出する際に利用され、操作内容ポイントが高いほど視聴者の趣味や嗜好にマッチしたシーンであることを示す。
【００４５】
図７において、７１は３つのシーンから構成されている映像であり、（１）はシーンＩＤ「Ｓ１」の３分間のシーンを示し、（２）はシーンＩＤ「Ｓ２」の３分間のシーンを示し、（３）はシーンＩＤ「Ｓ３」の４分間のシーンを示している。
【００４６】
７２は視聴者が映像７１を視聴した際の視聴履歴であり、（４）は時間００：００から０１：００の間、再生中であったことを示し、（５）は０１：００から０４：００へ早送りしたことを示し、（６）は０４：００から０５：００の間、再生中であったことを示し、（７）は０５：００から０３：００へ巻き戻したことを示し、（８）は０３：００から０９：００の間、再生中であったことを示し、（９）は０９：００で停止したことを示している。
【００４７】
７３，７４，７５は操作内容ポイントを算出する際に用いるポイントの算出方法を示す。
【００４８】
７３では、視聴者の視聴時間に着目した再生ポイントの算出処理を示したものであり、上に示した操作履歴と該当するシーンの関係より以下の手順で再生ポイントを算出する。
【００４９】
手順１−１では、シーン単位の再生時間を算出する。図では、シーンＩＤ「Ｓ１」のシーンの再生時間は（４）再生操作から１分、シーンＩＤ「Ｓ２」のシーンの再生時間は（６）の再生操作と（８）の再生操作から１分と３分を加算した４分、シーンＩＤ「Ｓ３」のシーンの再生時間は（８）の再生操作から３分となる。
【００５０】
手順１−２では、以下の式により、操作内容ポイントを算出する。
【００５１】
操作内容ポイント＝（手順１−１で算出したシーン単位の再生時間）
÷（シーンの長さ）
この計算式による算出結果は、シーンＩＤ「Ｓ１」の再生ポイントが０．３３、シーンＩＤ「Ｓ２」の再生ポイントが１．３３、シーンＩＤ「Ｓ３」の再生ポイントが０．７５となる。
【００５２】
７４は、視聴者の巻戻し時間に着目した巻戻しポイントの算出処理を示したものであり、上に示した操作履歴と該当するシーンの関係により以下の手順で巻戻しポイントを算出する。
【００５３】
手順２−１では、シーン単位の巻戻し時間を算出する。図では、シーンＩＤ「Ｓ２」の巻戻し時間は（７）の操作から２分となる。
【００５４】
手順２−２では、以下の式により、巻戻しポイントを算出する。
【００５５】
巻戻しポイント＝（手順２−１で算出したシーン単位の巻戻し時間）
÷（シーンの長さ）
この計算式による算出結果は、シーンＩＤ「Ｓ２」の巻戻しポイントが０．６７となる。
【００５６】
７５は、視聴者の早送り時間に着目した早送りポイントの算出処理を示したものであり、上に示した操作履歴と該当するシーンの関係より以下の手順で早送りポイントを算出する。
【００５７】
手順３−１では、シーン単位の早送り時間を算出する。図では、シーンＩＤ「Ｓ１」の早送り時間は（５）の操作から２分、シーンＩＤ「Ｓ２」の早送り時間は（５）の操作から１分となる。
【００５８】
手順３−１では、以下の式により、早送りポイントを算出する。
【００５９】
早送りポイント＝（手順３−１で算出したシーン単位の早送り時間）
÷（シーンの長さ）
この計算式による計算結果は、シーンＩＤ「Ｓ１」の早送りポイントが０，６７、シーンＩＤ「Ｓ２」の早送りポイントが０．３３となる。
【００６０】
７６は、操作内容ポイントの合計を示したものであり、ここでは以下の式を用いて算出する。
【００６１】
操作内容ポイント＝（再生ポイント７３）＋（巻戻しポイント７４）                 −（早送りポイント７５）
この結果、シーンＩＤ「Ｓ１」の操作内容ポイントは、−０．３４、シーンＩＤ「Ｓ２」の操作内容ポイントは、＋１．６７、シーンＩＤ「Ｓ３」の操作内容ポイントは、＋０．７５となる。
【００６２】
なお、操作内容ポイントは上述した方法に限らず、以下のように各項に重み係数を付加して算出することも可能である。具体的には、以下のような算出式となる。
【００６３】
操作内容ポイント＝α（再生ポイント７３）＋β（巻戻しポイント７４）
−γ（早送りポイント７５）
ここで、重み係数α、β、γは任意の実数である。
【００６４】
図８は、視聴者に好適なシーンを抽出する際にリコメンド手段４３で利用するデータを表形式で表した概念図である。この概念図はメタデータデータベース３９で管理するシーン情報と、視聴履歴データベース３７で管理する操作内容ポイントテーブル、抽出フラグテーブル、視聴フラグテーブルから抽出したデータから構成される。同図を用いて、リコメンド手段４３による好適シーンの抽出処理を説明する。以下では、ユーザＩＤ「ｈａｎａｋｏ」に好適なシーンを抽出する場合の例について説明する。
【００６５】
手順１：  まず、ユーザＩＤ「ｈａｎａｋｏ」が視聴したシーンを視聴フラグによって判断し、該シーンのジャンルと操作内容ポイントを抽出する。８１で示すように、ここでは（宝石、−０．３４）、（ＡＶ機器、１．６７）、（パソコン、０．７５）、（パソコン、０．５）の４件が抽出される。
【００６６】
手順２：  同じジャンルが複数抽出された場合は、その平均値を計算し、その値を平均操作内容ポイントとする。この場合、ジャンル「パソコン」が２個あるため、０．７５と０．５の平均値０．６３がパソコンの平均操作内容ポイントとなる。また、ジャンル「宝石」と「ＡＶ機器」は１個のため、平均操作内容ポイントは、操作内容ポイントと同じ、−０．３４と１．６７となる。
【００６７】
手順３：  最も高い平均操作内容ポイントをもつジャンルを抽出する。この場合、「ＡＶ機器」が抽出される。但し、平均操作内容ポイントが負の値であった場合は、処理を終了する。
【００６８】
手順４：  この抽出されたジャンルと同じジャンルを持ち、かつ視聴フラグがＯＦＦであり、かつ抽出フラグがＯＦＦであるシーンＩＤを好適なシーンとして抽出する。この場合、８２で示すように、シーンＩＤ「Ｓ７」、「Ｓ９」、「Ｓ１１」が視聴者に好適なシーンとして抽出される。
【００６９】
手順５：  シーンＩＤを１つも抽出できなかった場合は、シーンＩＤを抽出できるまで、「平均操作内容ポイントの降順にジャンルを抽出した後に手順４を繰り返し行う。但し、平均操作内容ポイントが負の値であった場合や、シーンＩＤが１つも抽出できなかった場合は、処理を終了する。
【００７０】
上述したように、本実施例では、視聴者が一度の操作を行うだけで視聴者に好適な映像を連続して再生する新たなサービスを提供することができる。視聴者は、自分の視聴したい映像を煩雑な操作なく視聴することができる。また、図７で示したような操作内容ポイントを基に図８で示したような手順に従い視聴者に好適な映像を抽出することによって、視聴者の趣味や嗜好をより正確に反映した映像選択を実現することができる。
【００７１】
なお、上記実施例において、レコメンドダイジェストサービス１４を選択した場合には、視聴者に好適なシーンを連続して再生するための再生コマンドとして、映像を例えば時間単位や内容単位で分割して生成した映像の特定部分からなる複数のシーンをそれぞれ意味データで表したシーン情報を特定する再生コマンドを生成し、この再生コマンドを視聴者端末１に送信しているが、本発明はこのようなシーン情報に限定されるものでなく、シーンに分割されていない映像に対しても同様に適用し得るものであることは勿論のことである。
【００７２】
上記実施形態の配信映像リコメンド方法の処理手順をプログラムとして例えばＣＤやＦＤなどの記録媒体に記録して、この記録媒体をコンピュータシステムに組み込んだり、または記録媒体に記録されたプログラムを通信回線を介してコンピュータシステムにダウンロードしたり、または記録媒体からインストールし、該プログラムでコンピュータシステムを作動させることにより、配信映像リコメンド方法を実施する装置として機能させることができることは勿論であり、このような記録媒体を用いることにより、その流通性を高めることができるものである。
【図面の簡単な説明】
【００７３】
【図１】図１は、本発明の実施例１に係わる配信映像リコメンド方法を実施する配信映像リコメンド装置を構成するポータルサーバおよび視聴者端末の構成を示すブロック図である。
【図２】図１に示す実施例におけるポータルサーバおよび視聴者端末と映像配信事業者、ポータルサービス事業者、視聴者などの関係を示す全体的なシステムを説明するための図である。
【図３】図１に示す実施例の配信映像リコメンド方法を適用した映像ポータルサービスの一例を示す図である。
【図４】図３に示した映像ポータルサービスにおけるリコメンドダイジェストサービスで配信するシーンの概念図である。
【図５】図１に示す実施例に使用されているメタデータ管理手段で管理する映像のメタデータの一例を示す図である。
【図６】図１に示す実施例に使用されている再生コマンド生成送信手段で生成される再生コマンドの一例を示す図である。
【図７】図１に示す実施例に使用されている視聴履歴加工手段により算出され視聴履歴データベースに登録される操作内容ポイントの算出方法を説明するための図である。
【図８】図１に示す実施例において視聴者に好適なシーンを抽出する際にリコメンド手段で利用するデータを表形式で表した概念図である。
【符号の説明】
【００７４】
１  視聴者端末
３  ポータルサーバ
１５  映像再生手段
１７  視聴履歴送信手段
２１、２２  映像配信事業者
３５  視聴履歴加工手段
３７  視聴履歴データベース
３９  メタデータデータベース
４１  メタデータ管理手段
４３  リコメンド手段
４５  再生コマンド生成送信手段
【図１】
2005110016.tif 000003
【図２】
2005110016.tif 000004
【図３】
2005110016.tif 000005
【図４】
2005110016.tif 000006
【図５】
2005110016.tif 000007
【図６】
2005110016.tif 000008
【図７】
2005110016.tif 000009
【図８】
2005110016.tif 000010